(57)【要約】【課題】通話中の音声の音量レベルを使用者の意思に応じて簡単且つ自動的に調整する通信端末を提供する。【解決手段】通信端末１０は、他の通信端末Ａとの通話に基づく音声を出力する音声出力部１３と、音声出力部１３に対する圧力Ｆを測定する圧力測定部１５と、圧力測定部１５によって測定された圧力Ｆが所定値以上か否かを判定する判定部１７と、判定部１７によって圧力Ｆが所定の閾値Ａ以上であると判定された場合、音声出力部１３が出力する音声の音量レベルを増加させる制御部１２とを備えている。このように、音声出力部１３に加えられた圧力Ｆを測定して、その圧力Ｆが所定の閾値Ａ以上か否かを判定することで、通話中の音量レベルが好ましい音量よりも小さい場合に使用者Ｍが音声出力部１３に耳などを近づけて押し当てるような自然な動きを簡単に検出でき、その結果、音量レベルを自動的に増加できる。【選択図】図１
2010258701.tif 000002
【特許請求の範囲】
【請求項１】
他の通信端末との通話に基づく音声を出力する音声出力手段と、
前記音声出力手段または前記音声出力手段を中心とした所定範囲内に位置する部材に対する圧力を測定する圧力測定手段と、
前記圧力測定手段によって測定された圧力が所定値以上か否かを判定する判定手段と、
前記判定手段によって前記圧力が前記所定値以上であると判定された場合、前記音声出力手段が出力する音声の音量レベルを増加させる制御手段と、
を備えた通信端末。
【請求項２】
使用者までの距離を周期的に測定する距離測定手段を更に備え、
前記判定手段は、前記距離測定手段によって測定された現距離が直前に測定された直前距離よりも大きいか否かを判定し、
前記制御手段は、前記判定手段によって前記現距離が前記直前距離よりも大きいと判定された場合、前記音声出力手段が出力する音声の音量レベルを減少させることを特徴とする請求項１に記載の通信端末。
【請求項３】
前記距離測定手段によって周期的に測定される各距離の測定データを格納する格納部を更に備え、
前記判定手段は、前記距離測定手段によって測定された前記現距離がゼロであるか否かを判定し、
前記制御手段は、前記判定手段によって前記現距離がゼロであると判定した場合、前記圧力測定手段による前記圧力の測定を開始すると共に、前記格納部に格納された前記測定データを消去することを特徴とする請求項２に記載の通信端末。
【請求項４】
他の通信端末との通話に基づく音声を出力する音声出力手段を備えた通信端末の音量レベルを調整する方法であって、
前記音声出力手段または前記音声出力手段を中心とした所定範囲内に位置する部材に対する圧力を測定する圧力測定ステップと、
前記圧力測定ステップによって測定された圧力が所定値以上か否かを判定する判定ステップと、
前記判定ステップによって前記圧力が前記所定値以上であると判定された場合、前記音声出力手段が出力する音声の音量レベルを増加させる制御ステップと、を含む調整方法。
【発明の詳細な説明】
【技術分野】
【０００１】
本発明は、音量レベルを通話時に調整する通信端末及び音量レベルの調整方法に関する。
【背景技術】
【０００２】
従来、携帯電話などで通話を行う際の受話音量を調整する手段として、携帯電話のキー操作によって音量を手動で増減して最適な音量に設定する技術が広く知られている（例えば、特許文献１参照）。また、受話音量を調整する別の手段として、携帯電話と使用者との距離を測定し、測定された距離に応じて音量を自動的に増減させる技術が知られている（例えば、特許文献２参照）。
【先行技術文献】
【特許文献】
【０００３】
【特許文献１】特開平８−３４０２２８号公報
【特許文献２】特開２００７−２２１７４４号公報
【発明の概要】
【発明が解決しようとする課題】
【０００４】
ところで、実際に携帯電話等で通話を行う場合、通話する相手の声の大きさや通話時の周囲環境や携帯電話の種類などの複合的な要因により、通話ごとに使用者にとって最適な受話音量が異なってしまうことがあった。このため、最適な音量であると設定されたはずの受話音量で通話を開始したとしても、必ずしも音量レベルが好適でなく、通話内容が聞き取り難かったり、逆に、相手の声が大き過ぎるといったような、好ましくない音量での通話を強いられる場合があった。このような場合、使用者は、通話開始後すぐに音量レベルの増減調整を行いたいといった意思があるものの、通話中であることから携帯電話の画面やキーを見ながらキー操作を行うことができないため、好ましい音量レベルへの調整を簡単に行うことができなかった。その一方、特許文献２に記載された音量調整技術では、距離に応じて自動的に音量を増減調整できるものの、通話中の使用者が音量を増加させたいのか、又は、減少させたいのかといった使用者の意思を判別して音量を調整するような技術ではないため、かかる場合の音量調整に用いることは難しかった。
【０００５】
そこで、本発明は、通話中の音声の音量レベルを使用者の意思に応じて簡単且つ自動的に調整する通信端末及びその音量レベルの調整方法を提供することを目的とする。
【課題を解決するための手段】
【０００６】
上記の課題を解決するために、本発明に係る通信端末は、他の通信端末との通話に基づく音声を出力する音声出力手段と、音声出力手段または音声出力手段を中心とした所定範囲内に位置する部材に対する圧力を測定する圧力測定手段と、圧力測定手段によって測定された圧力が所定値以上か否かを判定する判定手段と、判定手段によって圧力が所定値以上であると判定された場合、音声出力手段が出力する音声の音量レベルを増加させる制御手段と、を備えている。
【０００７】
また、上記の課題を解決するために、本発明に係る音量レベルの調整方法は、他の通信端末との通話に基づく音声を出力する音声出力手段を備えた通信端末の音量レベルを調整する方法であって、音声出力手段または音声出力手段を中心とした所定範囲内に位置する部材に対する圧力を測定する圧力測定ステップと、圧力測定ステップによって測定された圧力が所定値以上か否かを判定する判定ステップと、判定ステップによって圧力が所定値以上であると判定された場合、音声出力手段が出力する音声の音量レベルを増加させる制御ステップと、を含んでいる。
【０００８】
この通信端末又は音量レベルの調整方法によれば、通話中の音量レベルが好ましい音量よりも小さい場合に使用者が相手の声を聞きやすくするために音声出力手段等に耳などを近づけて押し当てるような自然な動きを、音声出力手段等に加えられた圧力を測定してその圧力が所定値以上か否かを判定することで検出するようにしている。そして、かかる自然な動きが検出された場合には、使用者にとって通話中の音量レベルが好ましい音量よりも小さいと推定し、通話中の音量レベルを増加させるような制御を行っている。このように、音量レベルが好ましい音量よりも小さい場合の使用者の自然な動きに着眼し、音声出力手段等に加えられた圧力を測定するといった簡単な構成で通話中の音量レベルが好ましい音量であるか否かといった使用者の意思を推定して音量レベルを調整するため、通話中の音声の音量レベルを使用者の意思に応じて簡単且つ自動的に調整することが可能となる。
【０００９】
また、使用者までの距離を周期的に測定する距離測定手段を更に備え、判定手段は、距離測定手段によって測定された現距離が直前に測定された直前距離よりも大きいか否かを判定し、制御手段は、判定手段によって現距離が直前距離よりも大きいと判定された場合、音声出力手段が出力する音声の音量レベルを減少させることが好ましい。この場合、通話中の音量レベルが好ましい音量よりも大きい場合に使用者が音声出力手段等から耳などを遠ざけるような自然な動きを、使用者及び通信端末間の距離の変化を判定することで検出するようにしている。そして、かかる自然な動きが検出された場合には、使用者にとって通話中の音量レベルが好ましい音量よりも大きいと推定し、通話中の音量レベルを減少させるような制御を行っている。このように、音量レベルが好ましい音量よりも大きい場合の使用者の自然な動きに着眼し、使用者及び通信端末間の距離変化を判定するといった簡単な構成で通話中の音量レベルが好ましい音量であるか否かといった使用者の意思をさらに推定して音量レベルを調整しているため、通話中の音声の音量レベルを使用者の意思に応じて簡単且つ自動的に調整することが一層、可能となる。
【００１０】
また、距離測定手段によって周期的に測定される各距離の測定データを格納する格納部を更に備え、判定手段は、距離測定手段によって測定された現距離がゼロであるか否かを判定し、制御手段は、判定手段によって現距離がゼロであると判定した場合、圧力測定手段による圧力の測定を開始すると共に、格納部に格納された測定データを消去することが好ましい。この場合、音量調整に用いられた過去の測定データを適宜消去することができるため、格納部の容量を大きくする必要がなく、簡単な構成とすることができる。
【発明の効果】
【００１１】
本発明によれば、通話中の音声の音量レベルを使用者の意思に応じて簡単且つ自動的に調整できる。
【図面の簡単な説明】
【００１２】
【図１】本実施形態に係る通信端末の機能構成を示すブロック図である。
【図２】本実施形態に係る通信端末のハードウェア構成を示す図である。
【図３】通信端末および使用者間の距離の測定方法を模式的に示す図である。
【図４】通信端末に加えられる圧力の測定方法を模式的に示す図である。
【図５】格納部に格納される測定データの例を示す図であり、（ａ）が距離データを示す図であり、（ｂ）が圧力データを示す図である。
【図６】音量レベルを調整する際の動作を示すフローチャートである。
【図７】通信端末に加えられる圧力の別の測定方法を模式的に示す図である。
【発明を実施するための形態】
【００１３】
以下、図面を参照して、本発明に係る好適な実施形態について詳細に説明する。なお、図面の説明において、可能な場合には、同一要素には同一符号を付し、重複する説明を省略する。
【００１４】
まず、図１を参照して、本実施形態に係る通信端末１０の構成を説明する。通信端末１０は、使用者Ｍによって使用される端末であり、例えば、携帯電話やＰＨＳである。通信端末１０は、通信網ＮＷを介し、複数の通信端末Ａに接続され、互いに音声通話を行うことができるようになっている。図１では、説明の便宜上、１つの通信端末Ａのみを示しているが、通信端末１０は、図示省略された複数の通信端末Ａと接続可能となっている。通信端末１０は、機能的には、通信部１１、制御部１２（制御手段）、音声出力部１３（音声出力手段）、距離測定部１４（距離測定手段）、圧力測定部１５（圧力測定手段）、格納部１６（格納手段）、及び判定部１７（判定手段）を備えている。
【００１５】
通信端末１０は、図２に示されるように、物理的には、ＣＰＵ１０ａ、ＲＡＭ１０ｂ、ＲＯＭ１０ｃ、入力装置１０ｄ、出力装置１０ｅ、通信装置１０ｆ及び記録装置１０ｇを備えており、これらはバス１０ｈに接続されている。ＣＰＵ１０ａは、ＲＯＭ１０ｃや記録装置１０ｇ等の内蔵メモリに格納された所定のコンピュータソフトウェア（図６に示す通信端末１０の行う処理を実行するためのコンピュータプログラム等を含む）をＲＡＭ１０ｂにロードして実行することにより、通信端末１０を統括的に制御する。
【００１６】
入力装置１０ｄは、キーボードや、対象物との距離を測定する赤外線センサや、移動通信端末１０に加えられる圧力を測定する圧力センサ等からなるデータ入力用デバイスであり、入力されたデータをＣＰＵ１０ａに出力する。出力装置１０ｅは、ＬＣＤ等の表示装置やスピーカ等の音声出力装置であり、ＣＰＵ１０ａから入力された画像データ等をＬＣＤに表示し、入力された音声データ等を変換して音声を出力する。通信装置１０ｆは、通信網ＮＷ等を介して通信端末Ａ等との間で通話や通信を行うためのインターフェイスを有する。記録装置１０ｇは、ＣＰＵ１０ａの実行可能な上記コンピュータソフトウェアを格納する。図１に示す通信部１０〜判定部１７は、ＣＰＵ１０ａがＲＯＭ１０ｃや記録装置１０ｇ等に格納された上記コンピュータソフトウェアを実行し、図２に示す通信端末１０の各構成部を動作させることにより実現される機能である。特に、ＣＰＵ１０ａは、通信部１０〜判定部１７を用いて、図６に示す通信端末１０の行う処理を実行する。
【００１７】
通信部１１は、通信網ＮＷを介して他の通信端末Ａとの間で通話や通信を行うための部分である。通信部１１は、他の通信端末Ａとの間で通話が開始されると、通信網ＮＷを介して音声データを受信する。通信部１１は、受信した音声データを制御部１２に出力する。
【００１８】
制御部１２は、通信部１１から受信した音声データを音声に変換する際の音量レベルを制御する部分である。制御部１２は、通信端末１０の使用者がキーボード等を操作することによって選択入力された音量レベルを初期値として設定する。例えば、音量レベルが５段階（レベル１〜レベル５）である場合、本実施形態では、初期値としてレベル３が選択されて設定されている。また、制御部１２は、詳細は後述するが、通話開始後、判定部１７での判定結果に応じて、初期値として設定された音量レベルを増減させる制御を行う。制御部１２は、設定された初期値の音量レベルやその初期値等に対する音量レベルの増減に関する音量レベル信号を音声データと共に音声出力部１３に出力する。また、制御部１２は、通話の開始や終了を示す信号を判定部１７に出力する。
【００１９】
音声出力部１３は、他の通信端末Ａとの通話に基づく音声を出力する部分である。音声出力部１３は、スピーカ１３ａを含み（図３参照）、他の通信端末Ａからの音声データと音量レベル信号とが制御部１２から入力されると、音量レベル信号で示される音量レベルで音声データを音声に変換し、スピーカ１３ａから出力する。これにより、使用者Ｍは、他の通信端末Ａからの音声を聞くことが可能となる。音声出力部１３は、通話開始後、入力された音量レベル信号が使用中の音量レベルを増加させる指示内容を示す場合には、出力する音声の音量レベルを一段階増加させる（例えば、レベル３からレベル４にする）。一方、音声出力部１３は、入力された音量レベル信号が使用中の音量レベルを減少させる指示内容を示す場合には、出力する音声の音量レベルを一段階減少させる（例えば、レベル３からレベル２にする）。
【００２０】
距離測定部１４は、使用者Ｍまでの距離Ｈを周期的に測定する部分である。距離測定部１４は、図３に示されるように、音声出力部１３の一部を構成するスピーカ１３ａと隣接して設けられる距離センサ１４ａを含んで構成される。このような配置構成により、距離測定部１４は、通話中の使用者Ｍの耳（または頭部）とスピーカ１３ａとの間の距離Ｈを距離センサ１４ａを用いて周期的に測定する。周期的に測定される距離Ｈは、距離Ｈｎ、距離Ｈｎ＋１・・・と表される。距離測定部１４は、通話が開始されると、距離測定の開始を示す指示信号を判定部１７から取得し、距離Ｈの周期的な測定を開始する。距離測定部１４は、周期的に測定された距離Ｈの測定データを判定部１７を介して格納部１６に出力する。一方、距離測定部１４は、通話が終了すると、距離測定の終了を示す指示信号を判定部１７から取得し、距離Ｈの測定を終了する。
【００２１】
圧力測定部１５は、音声出力部１３に対する圧力を測定する部分である。圧力測定部１５は、図４に示されるように、音声出力部１３の一部を構成するスピーカ１３ａに隣接すると共にその背面に一体的に設けられる圧力センサ１５ａを含んで構成される。圧力センサ１５ａがスピーカ１３ａと一体的に設けられていることから、圧力測定部１５は、通話中の使用者Ｍがスピーカ１３ａに耳などを押し当てるように接した際の圧力Ｆを測定することができる。圧力測定部１５は、距離測定部１４で測定した距離Ｈがゼロの場合（すなわち、使用者Ｍの耳がスピーカ１３ａに接する場合）、圧力測定の開始を示す指示信号を判定部１７から取得し、音声出力部１３に対する圧力の測定を行う。圧力測定部１５は、測定した圧力Ｆの測定データを判定部１７を介して格納部１６に出力する。
【００２２】
格納部１６は、距離測定部１４で測定された距離Ｈや圧力測定部１５で測定された圧力Ｆの測定データを格納する部分である（図６参照）。格納部１６は、判定部１７からの要請信号に応じて、格納された距離Ｈや圧力Ｆの測定データを判定部１７に出力する。
【００２３】
判定部１７は、距離測定部１４で測定された距離Ｈの変化や圧力測定部１５で測定された圧力Ｆの大きさを判定する部分である。判定部１７は、制御部１２から通話開始を示す信号が入力されると、上述したように、距離測定部１４に対して、距離測定の開始を示す指示信号を出力する。判定部１７は、この指示信号に応じて測定されて格納部１６に格納された距離Ｈの測定データを呼び出して、距離測定部１４で測定された現距離Ｈｎ＋１が直前に測定された直前距離Ｈｎよりも大きいか否かを判定する。判定部１７は、現距離Ｈｎ＋１が直前に測定された直前距離Ｈｎよりも大きい場合には、その旨の判定信号を制御部１２に出力する。
【００２４】
また、判定部１７は、格納部１６に格納された距離Ｈの測定データがゼロを示す場合には、上述したように、圧力測定部１５に対して、圧力測定の開始を示す指示信号を出力する。判定部１７は、この指示信号に応じて測定されて格納部１６に格納された圧力Ｆの測定データを呼び出して、圧力測定部１５で測定された圧力Ｆが所定値以上か否かを判定する。判定部１７は、測定された圧力Ｆが所定値以上の場合には、その旨の判定信号を制御部１２に出力する。
【００２５】
このように判定部１７から各種の判定信号を入力された制御部１２は、判定部１７から入力された判定信号が、距離測定部１４で測定された現距離Ｈｎ＋１が直前に測定された直前距離Ｈｎよりも大きいことを示す場合（すなわち、判定部１７によって現距離Ｈｎ＋１が直前距離Ｈｎよりも大きいと判定された場合）には、相手の声が大き過ぎると推定し、音声出力部１３が出力する音声の音量レベルを一段階減少させる音量レベル信号を生成し、生成された音量レベル信号を音声出力部１３に出力する。また、制御部１２は、判定部１７から入力された判定信号が、圧力測定部１５で測定された圧力Ｆが所定値以上であることを示す場合（すなわち、判定部１７によって、圧力Ｆが所定値以上であると判定された場合）には、相手の声が小さくて聞きにくいと推定し、音声出力部１３が出力する音声の音量レベルを一段階増加させる音量レベル信号を生成し、生成された音量レベル信号を音声出力部１３に出力する。
【００２６】
なお、制御部１２は、判定部１７によって現距離Ｈｎがゼロであると判定された場合、上述したように、圧力測定部１５による圧力測定の開始を示す指示信号を生成するが、生成と同時に、格納部１６に格納された距離Ｈｎの測定データ（図６（ａ）参照）を消去させる処理を行う。距離Ｈの測定は、通話中、周期的に継続して行われるため、このように過去の距離Ｈの測定データを適宜消去することで、格納部１６の容量を大きくする必要がなくなり、簡単な構成とすることができる。
【００２７】
次に、通信端末１０における音量調整方法について、図６を参照して説明する。
【００２８】
まず、制御部１２は、通信端末１０と他の通信端末Ａとの間で通話が開始されたか否かを判定する（ステップＳ１）。ステップＳ１で通話が開始されたと判定されると、ステップＳ２に進み、通話中か否かが判定される。ステップＳ２で通話中であると判定されると、距離測定部１４によって、対象者Ｍと通信端末１０との間の距離Ｈの測定及び記録が実行される（ステップＳ３）。
【００２９】
続いて、ステップＳ３で距離Ｈの測定及び記録が実行されると、判定部１７によって、距離測定部１４で測定された現距離Ｈｎ＋１が直前に測定された直前距離Ｈｎよりも大きいか否かが判定される（ステップＳ４）。直前距離Ｈｎがまだ測定されていない場合（すなわち、１回目の測定の場合）には、ステップＳ５を経由してステップＳ２に戻り、同様の測定処理を繰り返す。これにより、２回目の距離測定が実行される。
【００３０】
ステップＳ４で、距離測定部１４で測定された現距離Ｈｎ＋１が直前に測定された直前距離Ｈｎよりも大きいと判定された場合には、現在通話中の音量レベルが好適でなく、例えば、相手の声が大き過ぎるといったようなことが想定されるため、制御部１２によって、音量レベルを１段階減少させる制御を行う（ステップＳ６）。
【００３１】
一方、ステップＳ４で、距離測定部１４で測定された現距離Ｈｎ＋１が直前に測定された直前距離Ｈｎ以下であると判定された場合には、続いて、現距離Ｈｎ＋１がゼロ（遊びマージンを含む）であるか否かを判定する（ステップＳ５）。ステップＳ５で現距離Ｈｎ＋１がゼロでないと判定された場合には、ステップＳ２に戻り、同様の処理ステップＳ２〜Ｓ４を繰り返す。ステップＳ５で現距離Ｈｎ＋１がゼロであると判定された場合には、圧力測定部１５によって、圧力Ｆの測定及び記録が実行される（ステップＳ７）。
【００３２】
続いて、ステップＳ７で圧力Ｆの測定及び記録が実行されると、判定部１７によって、圧力測定部１４で測定された圧力Ｆが所定の閾値Ａ以上であるか否かが判定される（ステップＳ８）。ステップＳ８で、圧力測定部１５で測定された圧力Ｆが所定の閾値Ａよりも小さい場合には、音量レベルを変更することなく、ステップＳ２に戻り、距離Ｈの測定を継続する。一方、ステップＳ８で、圧力測定部１５で測定された圧力Ｆが所定の閾値Ａ以上である場合には、現在、通話中の音量レベルが好適でなく、例えば、通話内容が聞き取り難いといったようなことが想定されるため、制御部１２によって、音量レベルを１段階増加させる制御を行う（ステップＳ９）。
【００３３】
音量レベルを１段階増加させた制御を行った後、ステップＳ７に戻り、再度、圧力Ｆの測定及び記録を行い、測定された圧力Ｆが再度、閾値Ａ以上であれば（ステップＳ８）、再び、音量レベルを１段階増加させる制御を行う（ステップＳ９）。ステップＳ８，Ｓ９を圧力Ｆが閾値Ａよりも小さくなるまで繰り返し、圧力Ｆが閾値Ａよりも小さくなったら、ステップＳ２に戻り、通話が終了するまで、上述した処理を継続する。ステップＳ２で通話が終了したと判断されると上述した処理を終了する。なお、上述した処理で変更した音量レベルは、通話の終了と同時に、初期値の音量レベルに戻すように処理される。
【００３４】
本実施形態によれば、通話中の音量レベルが好ましい音量よりも大きい場合に使用者Ｍが音声出力部１３から耳などを遠ざけるような自然な動きを、使用者Ｍ及び通信端末１０間の距離Ｈの変化を判定部１７で判定することで検出するようにしている。そして、かかる自然な動きが検出された場合には、使用者Ｍにとって通話中の音量レベルが好ましい音量よりも大きいと推定し、制御部１２により、通話中の音量レベルを減少させるような制御を行っている。このように、音量レベルが好ましい音量よりも大きい場合の使用者Ｍの自然な動きに着眼し、使用者Ｍ及び通信端末１０間の距離変化を判定するといった簡単な構成で通話中の音量レベルが好ましい音量であるか否かといった使用者Ｍの意思を推定して音量レベルを調整しているため、通話中の音声の音量レベルを使用者の意思に応じて簡単且つ自動的に調整することが可能となる。
【００３５】
また、通話中の音量レベルが好ましい音量よりも小さい場合に使用者Ｍが音声出力部１３に耳などを近づけて押し当てるような自然な動きを、音声出力部１３に加えられた圧力Ｆを測定して、その圧力Ｆが所定の閾値Ａ以上か否かを判定することで検出するようにしている。そして、かかる自然な動きが検出された場合には、使用者にとって通話中の音量レベルが好ましい音量よりも小さいと推定し、通話中の音量レベルを増加させるような制御を行っている。このように、音量レベルが好ましい音量よりも小さい場合の使用者Ｍの自然な動きに着眼し、音声出力部１３に加えられた圧力を測定するといった簡単な構成で通話中の音量レベルが好ましい音量であるか否かといった使用者Ｍの意思を推定して音量レベルを調整しているため、通話中の音声の音量レベルを使用者Ｍの意思に応じて簡単且つ自動的に調整することが可能となる。
【００３６】
以上、本発明をその実施形態に基づき具体的に説明したが、本発明は、上記実施形態に限定されるものではない。例えば、上記実施形態では、圧力測定部１５は、音声出力部１３に直接加えられた圧力を測定していたが、通話中の使用者Ｍがスピーカ１３ａに耳などを押し当てるように接した際の圧力Ｆを測定することができるものであればよい。このような圧力測定部１５としては、例えば、図６（ａ）に示されるように、スピーカ１３ａの下方に設けられたタッチパネルＴの背面に一体的に設けられる圧力センサ１５ｂや、図６（ｂ）に示されるように、折り畳み式携帯電話のヒンジ部に設けられるトルクセンサ１５ｃであってもよく、要は、音声出力部１３を中心とした所定範囲内に位置する部材に対する圧力を直接または間接的に測定できるものであればよい。なお、ここで用いる所定範囲内とは、例えば、使用者Ｍの耳の大きさに相当する範囲である。
【００３７】
また、上記実施形態では、使用者Ｍ及び通信端末１０間の距離Ｈと通信端末１０に対する圧力Ｆとを測定し、これらを複合的に判定することで、音量レベルの増減を調整するようにしていたが、距離Ｈを測定せずに通信端末１０に対する圧力Ｆのみを測定し、圧力Ｆが閾値Ａ以上であると判定された場合に、音声出力部１３が出力する音声の音量レベルを増加させるようにしてもよい。
【符号の説明】
【００３８】
１０…通信端末、１１…通信部、１２…制御部、１３…音声出力部、１３ａ…スピーカ、１４…距離測定部、１４ａ…距離センサ、１５…圧力測定部、１５ａ…圧力センサ、１６…格納部、１７…判定部、Ａ…他の通信端末、Ｍ…使用者、ＮＷ…通信網。
【図１】
2010258701.tif 000003
【図２】
2010258701.tif 000004
【図３】
2010258701.tif 000005
【図４】
2010258701.tif 000006
【図５】
2010258701.tif 000007
【図６】
2010258701.tif 000008
【図７】
2010258701.tif 000009